【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
ディスプレイ生成構成要素と通信するコンピュータシステムにおいて、
ホーム画面ユーザインタフェースの個別のページを表示することであって、前記ホーム画面ユーザインタフェースの前記個別のページは、第１の所定の配置内に第１の複数のアプリケーションアイコンを含む、ことと、
前記ホーム画面ユーザインタフェースの前記個別のページに、前記コンピュータシステムによって自動的に選択される複数のアプリケーション用の複数のアプリケーションアイコンを含む第１のユーザインタフェースオブジェクトを、挿入する要求に対応する一連の１つ以上の入力を検出することと、
前記一連の１つ以上の入力を検出したことに応答して、前記ホーム画面ユーザインタフェースの前記個別のページ上に、
前記第１の所定の配置内の前記第１の複数のアプリケーションアイコンのうちの２つ以上と、
前記第１の複数のアプリケーションアイコンとは異なる、第２の複数のアプリケーションアイコンと、を同時に表示することであって、
前記第２の複数のアプリケーションアイコンは、前記ホーム画面ユーザインタフェースの前記個別のページ上に含めるために、前記コンピュータシステムによって自動的に選択される、ことと、
前記ホーム画面ユーザインタフェースの前記個別のページ上に、前記第２の複数のアプリケーションアイコンを、前記第１の所定の配置内の前記第１の複数のアプリケーションアイコンのうちの前記２つ以上と表示する間に、前記第２の複数のアプリケーションアイコンのうちの個別のアプリケーションアイコンに向けられたユーザ入力を検出することと、
前記第２の複数のアプリケーションアイコンのうちの前記個別のアプリケーションアイコンに向けられた前記ユーザ入力を検出したことに応じて、
前記個別のアプリケーションアイコンに向けられた前記ユーザ入力が、前記第２の複数のアプリケーションアイコンのうちの第１のアプリケーションアイコンに向けられたとの判定及び前記ユーザ入力が第１の基準を満たすとの判定に従って、第１の選択可能なオプションを表示することであって、前記第１の選択可能なオプションは、アクティブにされたときに、前記コンピュータシステムに前記第１のアプリケーションアイコンの表示を停止させて、前記第２の複数のアプリケーションアイコンに現在含まれていない、自動的に選択される第３のアプリケーションの第３のアプリケーションアイコンを表示させる、ことと、
前記個別のアプリケーションアイコンに向けらた前記ユーザ入力が、前記第２の複数のアプリケーションアイコンのうちの、前記第１のアプリケーションアイコンとは異なる第２のアプリケーションアイコンに向けられたとの判定及び前記ユーザ入力が前記第１の基準を満たすとの判定に従って、第２の選択可能なオプションを表示することであって、前記第２の選択可能なオプションは、アクティブにされたときに、前記コンピュータシステムに前記第２のアプリケーションアイコンの表示を停止させて、前記第２の複数のアプリケーションアイコンに現在含まれていない、自動的に選択される第４のアプリケーションの第４のアプリケーションアイコンを表示させる、ことと、
を含む、方法。
【請求項２】
前記ホーム画面ユーザインタフェースの前記個別のページは、前記第２の複数のアプリケーションアイコンが前記一連の１つ以上の入力に応答して前記ホーム画面ユーザインタフェースの前記個別のページ上に表示されるとき、第１の再構成モードで表示される、
請求項１に記載の方法。
【請求項３】
前記第２の複数のアプリケーションアイコンは、前記ホーム画面ユーザインタフェースの前記個別のページが第１の再構成モードで表示されている間に、前記第１のユーザインタフェースオブジェクトに対応するコンテナオブジェクト内の個別の位置に表示される、
請求項１又は２に記載の方法。
【請求項４】
前記ホーム画面ユーザインタフェースの前記個別のページ上の、前記第１の複数のアプリケーションアイコンの前記第１の所定の配置と整列された位置に自動的に配置される前記第２の複数のアプリケーションアイコンを含む前記コンテナオブジェクトを表示することを含む、前記第１の再構成モードで前記ホーム画面ユーザインタフェースの前記個別のページを表示している間に、前記第１の再構成モードを終了する要求に対応する第２のユーザ入力を検出することと、
前記第１の再構成モードを終了する前記要求に対応する前記第２のユーザ入力を検出したことに応答して、
前記ホーム画面ユーザインタフェースの前記個別のページを、通常モードで表示し、前記第１の所定の配置内に前記第１の複数のアプリケーションアイコンのうちの前記２つ以上と、前記個別の位置内の前記第２の複数のアプリケーションアイコンとを表示することと、
前記第１の所定の配置と整列された前記位置で前記ホーム画面ユーザインタフェースの前記個別のページ上に前記第２の複数のアプリケーションアイコンを表示している間に、前記個別のページ上の前記第２の複数のアプリケーションアイコンに対する前記コンテナオブジェクトの視覚的強調を低減することと
を含む、請求項３に記載の方法。
【請求項５】
前記第２の複数のアプリケーションアイコンは、前記ホーム画面ユーザインタフェースの前記個別のページが第１の再構成モードで表示されるときに、第１のサイズで表示され、
前記ホーム画面ユーザインタフェースの前記個別のページが前記第１の再構成モードの外部に表示されるとき、前記第２の複数のアプリケーションアイコンは、前記第１のサイズとは異なる第２のサイズで表示される、
請求項１から４のいずれか一項に記載の方法。
【請求項６】
前記第２の複数のアプリケーションアイコンは、前記ホーム画面ユーザインタフェースの前記個別のページが第１の再構成モードであるときに、前記第１の複数のアプリケーションアイコンの前記第１の所定の配置と整列していない位置で、前記ホーム画面ユーザインタフェースの前記個別のページ上に表示され、
前記第２の複数のアプリケーションアイコンは、前記ホーム画面ユーザインタフェースの前記個別のページが前記第１の再構成モードではないときに、前記第１の複数のアプリケーションアイコンの前記第１の所定の配置と整列している位置で、前記ホーム画面ユーザインタフェースの前記個別のページ上に表示される、
請求項１から５のいずれか一項に記載の方法。
【請求項７】
前記第１の所定の配置にある前記第１の複数のアプリケーションアイコンのうちの前記２つ以上と、前記ホーム画面ユーザインタフェースの前記個別のページ上の前記第２の複数のアプリケーションアイコンとを同時に表示する間に、
前記第１の複数のアプリケーションアイコンのうちの前記２つ以上のそれぞれのテキスト識別子を、第１の１組のディスプレイ特性で表示することと、
前記第２の複数のアプリケーションアイコンのそれぞれのテキスト識別子を第２の１組のディスプレイ特性で表示することであって、前記第２の１組のディスプレイ特性は、前記第１の１組のディスプレイ特性とは異なる、ことと
を含む、請求項１から６のいずれか一項に記載の方法。
【請求項８】
前記ホーム画面ユーザインタフェースの前記個別のページ上に、前記第２の複数のアプリケーションアイコンを前記第１の複数のアプリケーションアイコンの前記２つ以上と表示する間に、前記ホーム画面ユーザインタフェースの前記個別のページ上に表示された個別のアプリケーションアイコンに向けられた第３のユーザ入力を検出することと、
前記第３のユーザ入力を検出したことに応答して、前記第３のユーザ入力に対応する１組の選択可能なオプションを表示することであって、
前記第３のユーザ入力が、前記第２の複数のアプリケーションアイコンによって占有されているエリアに向けられおり、また前記第３のユーザ入力は前記第１の基準を満たすとの判定に従って、前記１組の選択可能なオプションを表示することは、前記第１のユーザインタフェースオブジェクトに関連付けられた第１の複数の選択可能なオプションを表示することを含み、
前記第３のユーザ入力が、前記第２の複数のアプリケーションアイコンと同時に表示される、前記第１の複数のアプリケーションアイコンの前記２つ以上のうちの対応するものに向けられており、また前記第３のユーザ入力は前記第１の基準を満たすとの判定に従って、前記１組の選択可能なオプションを表示することは、前記第１の複数のアプリケーションアイコンのうちの前記２つ以上のうちの前記対応するものに対応するアプリケーションに関連付けられた第２の複数の選択可能なオプションを表示することを含む、ことと
を含む、請求項１から７のいずれか一項に記載の方法。
【請求項９】
前記第１のユーザインタフェースオブジェクトに関連付けられた前記第１の複数の選択可能なオプションは、アクティブにされたときに、前記コンピュータシステムに、前記第１のユーザインタフェースオブジェクトに対して第１の動作を全体として実行させる第３の選択可能なオプションを含む、
請求項８に記載の方法。
【請求項１０】
前記第１のユーザインタフェースオブジェクトに関連付けられた前記第１の複数の選択可能なオプションは、アクティブにされたときに、前記コンピュータシステムに、前記第２の複数のアプリケーションアイコンのうちの１つによって表される個別のアプリケーションに対して第２の動作を実行させる、第４の選択可能なオプションを含む、
請求項８又は９に記載の方法。
【請求項１１】
前記１組の選択可能なオプションを表示することは、
前記第３のユーザ入力が、前記第２の複数のアプリケーションアイコンのうちの前記第１のアプリケーションアイコンに向けられており、また前記第３のユーザ入力が前記第１の基準を満たすとの前記判定に従って、前記第４の選択可能なオプションを表示することであって、前記第４の選択可能なオプションは、アクティブにされると、前記コンピュータシステムに、前記第２の複数のアプリケーションアイコンのうちの前記第１のアプリケーションアイコンによって表される第１のアプリケーションに対応する第１のアプリケーション固有の動作を実行させるオプションを含むことと、
前記第３のユーザ入力が、前記第１のアプリケーションとは異なる前記第２の複数のアプリケーションアイコンのうちの前記第２のアプリケーションアイコンに向けられており、また前記第３のユーザ入力が前記第１の基準を満たすとの前記判定に従って、前記第２の選択可能なオプションを表示することであって、前記第２の選択可能なオプションは、アクティブにされると、前記コンピュータシステムに、前記第２の複数のアプリケーションアイコンのうちの前記第２のアプリケーションアイコンによって表される第２のアプリケーションに対応する第２のアプリケーション固有の動作を実行させるオプションを含み、前記第１のアプリケーション固有の動作は、前記第２のアプリケーション固有の動作とは異なることと
を含む、請求項１０に記載の方法。
【請求項１２】
前記第１のアプリケーションアイコンによって表される前記第１のアプリケーションに対応する前記第１のアプリケーション固有の動作を実行することは、前記第１のアプリケーションアイコンの表示を停止することと、前記第２の複数のアプリケーションアイコンの中に現在含まれていない、自動的に選択された前記第３のアプリケーションの前記第３のアプリケーションアイコンを表示することとを含み、
前記第２のアプリケーションアイコンによって表される前記第２のアプリケーションに対応する前記第２のアプリケーション固有の動作を実行することは、前記第２のアプリケーションアイコンの表示を停止することと、前記第２の複数のアプリケーションアイコンの中に現在含まれていない、自動的に選択された前記第４のアプリケーションの前記第４のアプリケーションアイコンを表示することと
を含む、請求項１１に記載の方法。
【請求項１３】
前記第２の複数のアプリケーションのうちの前記第１のアプリケーションアイコンによって表される前記第１のアプリケーションに対応する前記第１のアプリケーション固有の動作を実行することは、前記第１のアプリケーションアイコンが、後の時間に、前記個別のページ上の前記第２の複数のアプリケーションアイコン間で表示するために、前記コンピュータシステムによって自動的に選択されるのを防止せず、
前記第２の複数のアプリケーションのうちの前記第２のアプリケーションアイコンによって表される前記第２のアプリケーションに対応する前記第２のアプリケーション固有の動作を実行することは、前記第２のアプリケーションアイコンが、後の時間に、前記個別のページ上の前記第２の複数のアプリケーションアイコン間で表示するために、前記コンピュータシステムによって自動的に選択されるのを防止しない、
請求項１１又は１２に記載の方法。
【請求項１４】
前記第２の複数のアプリケーションのうちの前記第１のアプリケーションアイコンによって表される前記第１のアプリケーションに対応する前記第１のアプリケーション固有の動作を実行することは、前記第１のアプリケーションアイコンが、後の時間に、前記個別のページ上の前記第２の複数のアプリケーションアイコン間で表示するために、前記コンピュータシステムによって自動的に選択されるのを防止し、
前記第２の複数のアプリケーションのうちの前記第２のアプリケーションアイコンによって表される前記第２のアプリケーションに対応する前記第２のアプリケーション固有の動作を実行することは、前記第２のアプリケーションアイコンが、後の時間に、前記個別のページ上の前記第２の複数のアプリケーションアイコン間で表示するために、前記コンピュータシステムによって自動的に選択されるのを防止する、
請求項１１又は１２に記載の方法。
【請求項１５】
前記第３のユーザ入力を検出したことに応じて、
前記第３のユーザ入力が、前記第２の複数のアプリケーションアイコンのうちの前記第１のアプリケーションアイコンに向けられており、また前記第３のユーザ入力が前記第１の基準を満たすとの判定に従って、前記第２の複数のアプリケーションのうちの前記第１のアプリケーションアイコンを前記第２の複数のアプリケーションアイコンの他のアプリケーションアイコンと視覚的に区別することと、
前記第３のユーザ入力が、前記第１のアプリケーションアイコンとは異なる前記第２の複数のアプリケーションアイコンのうちの前記第２のアプリケーションアイコンに向けられており、また前記第３のユーザ入力が前記第１の基準を満たすとの判定に従って、前記第２の複数のアプリケーションのうちの前記第２のアプリケーションアイコンを前記第２の複数のアプリケーションアイコンの他のアプリケーションアイコンと視覚的に区別することと
を含む、請求項８から１２のいずれか一項に記載の方法。
【請求項１６】
前記第３のユーザ入力を検出したことに応じて、
前記第３のユーザ入力が前記第２の複数のアプリケーションアイコンによって占有されている前記エリアに向けられおり、また前記第３のユーザ入力は前記第１の基準を満たすとの判定に従って、前記第１のユーザインタフェースオブジェクトに関連付けられた前記第１の複数の選択可能なオプションを表示している間に、第２の複数のアプリケーションアイコンのうちの２つ以上をそれぞれの第１の見掛けから、前記それぞれの第１の見掛けとは異なるそれぞれの第２の見掛けに変更すること
を含む、請求項８から１５のいずれか一項に記載の方法。
【請求項１７】
第１の再構成モードで、前記ホーム画面ユーザインタフェースの前記個別のページ上で前記第１の複数のアプリケーションアイコンのうちの前記２つ以上と同時に前記第２の複数のアプリケーションアイコンを同時に表示することを含み、前記第１の再構成モードで前記ホーム画面ユーザインタフェースの前記個別のページを表示する間に、第４のユーザ入力を検出することと、
前記第４のユーザ入力を検出したことに応じて、
前記第４のユーザ入力が、前記第２の複数のアプリケーションアイコンのうちの第１のアプリケーションアイコンに向けられ、前記第４のユーザ入力は第２の基準を満たすとの判定に従って、前記第２の複数のアプリケーションのうちの前記第１のアプリケーションアイコンを、前記第２の複数のアプリケーションアイコンによって占有されているエリアの外部の新しい位置に表示することであって、前記新しい位置が、前記第４のユーザ入力に従って選択される、ことと
を含む、請求項１から１６のいずれか一項に記載の方法。
【請求項１８】
前記第４のユーザ入力を検出したことに応じて、
前記第４のユーザ入力が、前記第２の複数のアプリケーションアイコンのうちの前記第１のアプリケーションアイコンに向けられ、前記第４のユーザ入力は前記第２の基準を満たすとの判定に従って、前記ホーム画面ユーザインタフェースの前記個別のページ上の前記第２の複数のアプリケーションアイコン間の前記第１のアプリケーションアイコンの表示を停止すること
を含む、請求項１７に記載の方法。
【請求項１９】
前記第２の複数のアプリケーションのうちの前記第１のアプリケーションアイコンを、前記第２の複数のアプリケーションアイコンによって占有されている前記エリアの外部の前記新しい位置に表示することは、
前記新しい位置が前記ホーム画面ユーザインタフェースの前記個別のページ上にあるという判定に従って、前記第２の複数のアプリケーションアイコンの中から前記第１のアプリケーションアイコンの表示を停止することと、前記第２の複数のアプリケーションアイコンの中から前記コンピュータシステムによって自動的に選択される新しいアプリケーションアイコンを表示することと、
前記新しい位置が前記ホーム画面ユーザインタフェースの前記個別のページ上にないという判定に従って、前記個別のページが表示されると、前記ホーム画面ユーザインタフェースの前記個別のページ上の前記第２の複数のアプリケーションアイコン間の前記位置に前記第１のアプリケーションアイコンを維持することと
を含む、請求項１７に記載の方法。
【請求項２０】
前記コンピュータシステムは、前記第２の複数のアプリケーションアイコンから、前記第２の複数のアプリケーションアイコンと同時に表示される前記第１の複数のアプリケーションアイコンのうちの前記２つ以上を自動的に除外する、請求項１から１８のいずれか一項に記載の方法。
【請求項２１】
ディスプレイと、
入力要素と、
１つ以上のプロセッサと、
を備えるコンピュータシステムであって、
１つ以上のプログラムを記憶したメモリと、を備え、前記１つ以上のプログラムが、前記１つ以上のプロセッサによって実行されるように構成されており、前記１つ以上のプログラムが、
ホーム画面ユーザインタフェースの個別のページを表示し、前記ホーム画面ユーザインタフェースの前記個別のページは、第１の所定の配置内に第１の複数のアプリケーションアイコンを含み、
前記ホーム画面ユーザインタフェースの前記個別のページに、前記コンピュータシステムによって自動的に選択される複数のアプリケーション用の複数のアプリケーションアイコンを含む第１のユーザインタフェースオブジェクトを、挿入する要求に対応する一連の１つ以上の入力を検出し、
前記一連の１つ以上の入力を検出したことに応答して、前記ホーム画面ユーザインタフェースの前記個別のページ上に、
前記第１の所定の配置内の前記第１の複数のアプリケーションアイコンのうちの２つ以上と、
前記第１の複数のアプリケーションアイコンとは異なる、第２の複数のアプリケーションアイコンと、を同時に表示し、前記第２の複数のアプリケーションアイコンは、前記ホーム画面ユーザインタフェースの前記個別のページ上に含めるために、前記コンピュータシステムによって自動的に選択され、
前記ホーム画面ユーザインタフェースの前記個別のページ上に、前記第２の複数のアプリケーションアイコンを、前記第１の所定の配置内の前記第１の複数のアプリケーションアイコンのうちの前記２つ以上と表示する間に、前記第２の複数のアプリケーションアイコンのうちの個別のアプリケーションアイコンに向けられたユーザ入力を検出し、
前記第２の複数のアプリケーションアイコンのうちの前記個別のアプリケーションアイコンに向けられた前記ユーザ入力を検出したことに応じて、
前記個別のアプリケーションアイコンに向けられた前記ユーザ入力が、前記第２の複数のアプリケーションアイコンのうちの第１のアプリケーションアイコンに向けられたとの判定及び前記ユーザ入力が第１の基準を満たすとの判定に従って、第１の選択可能なオプションを表示し、前記第１の選択可能なオプションは、アクティブにされたときに、前記コンピュータシステムに前記第１のアプリケーションアイコンの表示を停止させて、前記第２の複数のアプリケーションアイコンに現在含まれていない、自動的に選択される第３のアプリケーションの第３のアプリケーションアイコンを表示させ、
前記個別のアプリケーションアイコンに向けらた前記ユーザ入力が、前記第２の複数のアプリケーションアイコンのうちの、前記第１のアプリケーションアイコンとは異なる第２のアプリケーションアイコンに向けられたとの判定及び前記ユーザ入力が前記第１の基準を満たすとの判定に従って、第２の選択可能なオプションを表示し、前記第２の選択可能なオプションは、アクティブにされたときに、前記コンピュータシステムに前記第２のアプリケーションアイコンの表示を停止させて、前記第２の複数のアプリケーションアイコンに現在含まれていない、自動的に選択される第４のアプリケーションの第４のアプリケーションアイコンを表示させる、命令を含む、コンピュータシステム。
【請求項２２】
前記１つ以上のプログラムが、請求項２から２０のいずれか一項に記載の方法を実行する命令を含む、請求項２１に記載のコンピュータシステム。
【請求項２３】
命令を含むプログラムであって、前記命令はコンピュータシステムによって実行されると、前記コンピュータシステムに、
ホーム画面ユーザインタフェースの個別のページを表示させ、前記ホーム画面ユーザインタフェースの前記個別のページは、第１の所定の配置内に第１の複数のアプリケーションアイコンを含み、
前記ホーム画面ユーザインタフェースの前記個別のページに、前記コンピュータシステムによって自動的に選択される複数のアプリケーション用の複数のアプリケーションアイコンを含む第１のユーザインタフェースオブジェクトを、挿入する要求に対応する一連の１つ以上の入力を検出させ、
前記一連の１つ以上の入力を検出したことに応答して、前記ホーム画面ユーザインタフェースの前記個別のページ上に、
前記第１の所定の配置内の前記第１の複数のアプリケーションアイコンのうちの２つ以上と、
前記第１の複数のアプリケーションアイコンとは異なる、第２の複数のアプリケーションアイコンと、を同時に表示させ、前記第２の複数のアプリケーションアイコンは、前記ホーム画面ユーザインタフェースの前記個別のページ上に含めるために、前記コンピュータシステムによって自動的に選択され、
前記ホーム画面ユーザインタフェースの前記個別のページ上に、前記第２の複数のアプリケーションアイコンを、前記第１の所定の配置内の前記第１の複数のアプリケーションアイコンのうちの前記２つ以上と表示する間に、前記第２の複数のアプリケーションアイコンのうちの個別のアプリケーションアイコンに向けられたユーザ入力を検出させ、
前記第２の複数のアプリケーションアイコンのうちの前記個別のアプリケーションアイコンに向けられた前記ユーザ入力を検出したことに応じて、
前記個別のアプリケーションアイコンに向けられた前記ユーザ入力が、前記第２の複数のアプリケーションアイコンのうちの第１のアプリケーションアイコンに向けられたとの判定及び前記ユーザ入力が第１の基準を満たすとの判定に従って、第１の選択可能なオプションを表示させ、前記第１の選択可能なオプションは、アクティブにされたときに、前記コンピュータシステムに前記第１のアプリケーションアイコンの表示を停止させて、前記第２の複数のアプリケーションアイコンに現在含まれていない、自動的に選択される第３のアプリケーションの第３のアプリケーションアイコンを表示させ、
前記個別のアプリケーションアイコンに向けらた前記ユーザ入力が、前記第２の複数のアプリケーションアイコンのうちの、前記第１のアプリケーションアイコンとは異なる第２のアプリケーションアイコンに向けられたとの判定及び前記ユーザ入力が前記第１の基準を満たすとの判定に従って、第２の選択可能なオプションを表示させ、前記第２の選択可能なオプションは、アクティブにされたときに、前記コンピュータシステムに前記第２のアプリケーションアイコンの表示を停止させて、前記第２の複数のアプリケーションアイコンに現在含まれていない、自動的に選択される第４のアプリケーションの第４のアプリケーションアイコンを表示させる、命令を含む、プログラム。
【請求項２４】
前記コンピュータシステムによって実行されると、請求項２から２０のいずれか一項に記載の方法を前記コンピュータシステムに実行させる、命令を更に含む、請求項２３に記載のプログラム。